(57)【要約】【課題】運転モードを切り換えた時の温度設定データとして、以前に設定されていた同じ運転モードでの温度設定データを使用するか、運転モード切り換え直前に設定された温度設定データを使用するかを選択して温度設定可能な空気調和機の制御方法を提供することを目的としている。【解決手段】ＳＴ１０において、運転モードキーの押下直前に温度設定キーが押下されたかどうかを判別する。もし、温度設定キーが押下されたら（ＳＴ１０−Ｙ）、何もしないでＳＴ１へジャンプする。温度設定キーが押下されていなければ（ＳＴ１０−Ｎ）、ＳＴ１１、つまり、選択されていた運転モードで過去に設定されていた温度設定データを運転用記憶部から取り出して表示用記憶部へ格納するステップを実行する。【選択図】　図５
2004084972.tif 000002
【特許請求の範囲】
【請求項１】
冷房や除湿、暖房などの複数の運転モードを切り換える運転モードキーと各運転モード毎に目標となる室内の温度設定をそれぞれ段階的に上昇、下降させる上昇キーと下降キーとからなる温度設定キーとを備えたキー入力部と、前記キー入力部で指定された前記運転モードと前記温度設定とのデータを確定されるまで一時的に記憶する表示用記憶部と、一定時間の経過または特定キーの入力により確定した前記運転モードと前記温度設定とのデータを記憶し、記憶された内容に従って実際の運転が行なわれる運転用記憶部と、前記表示用記憶部の内容に従って表示する表示部と、前記運転用記憶部の内容に従って空気調和機の運転を制御する制御部とを用いて運転モード毎に室内の温度設定を設定するための空気調和機の制御方法において、
前記キー入力部により前記運転モードのいずれか一つを選択したときに、選択された前記運転モードに対応し、前回の運転で前記運転用記憶部に記憶していた前記温度設定データと選択された前記運転モードデータとを前記表示用記憶部に格納し、
モード設定のキー操作を行なう直前に、前記温度設定データを変更するキー操作が行なわれた場合には、変更された前記温度設定データを前記表示用記憶部に格納し、確定された前記表示用記憶部の内容を対応する前記運転用記憶部に格納してなることを特徴とする空気調和機の制御方法。
【発明の詳細な説明】
【０００１】
【発明の属する技術分野】
本発明は、人の手により空気調和機に目標とする室温と運転モードとを設定する場合の空気調和機の制御方法に関する。
【０００２】
【従来の技術】
従来、空気調和機は、例えば図１のブロック図に示す制御回路で構成されており、また、その室内機は図２（Ａ）に示す外観をしている。
この空気調和機は室内機１と室外機２とリモコン３とで構成されており、室内機１と室外機２とは、運転指示や各部の状態を知らせる通信ケーブル４と図示しない冷媒回路用の冷媒管とで接続されている。
室内機１は、リモコン３から発信される赤外線信号を受信するリモコン入力部５と、温度や運転モードを表示する表示部６と、室外機２と通信を行なう通信部７と、表示のために一時的に表示データが格納される表示用記憶部８と、空気調和機の運転に使用される運転用記憶部９と、リモコン入力部５と表示部６と通信部７と表示用記憶部８と運転用記憶部９とに接続され、これらを制御する制御部１０とで構成されている。
【０００３】
図１に示すリモコン３は、電源キー３ａの他に運転モードキー３ｂと温度設定用の上昇キー３ｃと下降キー３ｄを備えており、運転モードキー３ｂの１回の押下ごとに運転モードが、自動、冷房、除湿、暖房というように順に切り換わり、さらに押下すると自動に戻り、周回しながら希望の運転モードを選択するようになっている。
上昇キー３ｃと下降キー３ｄは、押下ごとにそれぞれ＋１℃、−１℃ずつ表示用記憶部８に格納されている温度設定データが変化し、このデータに従って表示部６で表示するようになっている。
【０００４】
また、室内機１は図２（Ａ）の外観図に示すように前面に吸込口１ａ、前面下方に吹出口１ｂを備えており、前面の右下方には温度や運転モードを表示するための表示部６を備えている。表示部６は図２（Ｂ）に示すように、目標とする室温の設定値を表示するための温度表示エリア６ａと、指定した運転モードを表示する運転モードエリア６ｂとに分かれており、運転モードエリア６ｂは、自動、冷房、除湿、暖房の各モードを指し示す運転マーク６ｃがそれぞれの運転モードに対応して、いずれか一つだけ点灯するようになっている。
【０００５】
次に図７のフローチャートに従って、リモコンを用いて温度設定操作を行なう場合の制御手順を説明する。
この制御が実施されると、まず、前回のキー入力から一定時間、例えば２秒が経過したかをチェックする（ＳＴ１）。この判定には時間計測用のソフトタイマーが利用され、後述するように、各キーが押下されたとき２秒のタイマーがセットされ、このステップでタイムアウトしたかどうか判定される。
タイムアウトでなければ（ＳＴ１−Ｎ）、キー入力が有るかどうか判別する（ＳＴ２）。キー入力がなければキーが押下されるまで待つ（ＳＴ２−Ｎ）。キー入力が有れば（ＳＴ２−Ｙ）、前述したように２秒のタイマーをセットする（ＳＴ３）。
そして、入力されたキーが運転モードキーかを判別し（ＳＴ４）、異なれば（ＳＴ４−Ｎ）温度設定キーかを判別する（ＳＴ５）。温度設定キーでなければ（ＳＴ５ーＮ）、何もしないで次のキー入力を待つ（ＳＴ５−Ｎ）
。
入力されたキーが温度設定キーなら（ＳＴ５−Ｙ）、温度設定キーの種類により、表示用記憶部８の温度設定データをインクリメントまたはデクリメントする（ＳＴ６）。つまり、入力されたキーが上昇キー３ｃなら現在の温度値＋１、下降キー３ｄなら現在の温度−１とする。
そして、この変更された表示用記憶部８の内容（温度設定データと運転モードデータ）に従って表示部６で表示し（ＳＴ７）、ＳＴ１へジャンプする。
【０００６】
一方、入力されたキーが運転モードキー３ｂの場合（ＳＴ４−Ｙ）、表示用記憶部８に記憶されている運転モードの次に選択される新しい運転モードを示すデータを表示用記憶部８へ格納する（ＳＴ８）。例えば図６（Ｂ）が現在の状態（自動）であれば、次に選択される運転モードは冷房となる。
そして、選択された運転モード、例えば冷房モードで過去（前回の運転）に設定されていた温度設定データを運転用記憶部８から取り出して、表示用記憶部８へ格納し（ＳＴ１１）、この変更された表示用記憶部８の内容（温度設定データと運転モードデータ）に従って表示部６で表示し（ＳＴ７）、ＳＴ１へジャンプする。
【０００７】
一方、前回のキー入力から一定時間、例えば２秒が経過したかをチェックし（ＳＴ１）、経過していたら（ＳＴ１−Ｙ）現在表示されている内容で確定であると判断し、表示用記憶部８の内容（温度設定データと運転モードデータ）を対応する運転用記憶部９へ格納する（ＳＴ１２）。そして運転用記憶部９に格納されているデータに従って空気調和機全体の運転を開始する（ＳＴ１３）。そしてＳＴ１へジャンプする。
【０００８】
しかしながら、この制御方法では運転モードキー３ｂを押下してから温度設定キーを押下すれば問題はないが、温度設定キーを押下してから運転モードキー３ｂを押下すると、温度設定キーで設定した温度が無視されるという問題があった。
つまり、図６（Ａ）が現在の状態であるとすると、ここで図６（Ｂ）のように温度設定キー（下降キー３ｄ）を２回押下し、２７℃の室温を２５℃の設定にする。そして、運転モードを自動から冷房へ切り換えるため運転モードキー３ｂを押下する。目的は冷房運転で２５℃であるが、運転モードキー３ｂを押下することにより、以前に冷房運転で設定されていた温度設定データ２６℃が運転用記憶部９から呼び出されるため、運転モードキー３ｂの押下直前に設定された２５℃が結果的にキャンセルされ、２６℃の温度が設定されてしまう。従って、目的とする２５℃にするためには温度設定の下降キー３ｄをさらにもう一回押下する必要があり、操作が不便であった。
【０００９】
【発明が解決しようとする課題】
本発明は以上述べた問題点を解決し、運転モードを切り換えた時の温度設定データとして、以前に設定されていた同じ運転モードでの温度設定データを使用するか、運転モード切り換え直前に設定された温度設定データを使用するかを選択して温度設定可能な空気調和機の制御方法を提供することを目的としている。
【００１０】
【課題を解決するための手段】
本発明は、上記問題点を解決するため、冷房や除湿、暖房などの複数の運転モードを切り換える運転モードキーと各運転モード毎に目標となる室内の温度設定をそれぞれ段階的に上昇、下降させる上昇キーと下降キーとからなる温度設定キーとを備えたキー入力部と、前記キー入力部で指定された前記運転モードと前記温度設定とのデータを確定されるまで一時的に記憶する表示用記憶部と、一定時間の経過または特定キーの入力により確定した前記運転モードと前記温度設定とのデータを記憶し、記憶された内容に従って実際の運転が行なわれる運転用記憶部と、前記表示用記憶部の内容に従って表示する表示部と、前記運転用記憶部の内容に従って空気調和機の運転を制御する制御部とを用いて運転モード毎に室内の温度設定を設定するための空気調和機の制御方法において、
前記キー入力部により前記運転モードのいずれか一つを選択したときに、選択された前記運転モードに対応し、前回の運転で前記運転用記憶部に記憶していた前記温度設定データと選択された前記運転モードデータとを前記表示用記憶部に格納し、
モード設定のキー操作を行なう直前に、前記温度設定データを変更するキー操作が行なわれた場合には、変更された前記温度設定データを前記表示用記憶部に格納し、確定された前記表示用記憶部の内容を対応する前記運転用記憶部に格納する。
【００１１】
【発明の実施の形態】
以下、図面に基づいて本発明による空気調和機の制御方法を詳細に説明する。制御ブロック図および空気調和機の室内機外観、表示部の表示内容は従来例で説明しているため、ここでは従来例と本願との制御手順の比較を中心にして説明する。
図５は本発明による空気調和機の制御方法を示すフローチャートである。従来例である図７との違いは、ＳＴ１０がＳＴ８とＳＴ１１の間に追加されたことである。
【００１２】
ＳＴ１０では運転モードキー３ｂの押下直前に温度設定キーが押下されたかどうかを判別する。温度設定キーが押下されたら（ＳＴ１０−Ｙ）、何もしないでＳＴ１へジャンプする。温度設定キーが押下されていなければ（ＳＴ１０−Ｎ）、ＳＴ１１を実行する。
この部分の制御を図３および図４の表示内容と操作キーの説明図を用いて説明する。図３は運転モードキー３ｂの押下前に温度設定キーが押下された例である。図３（Ａ）は現在の温度と運転モードを示しており、ここで温度設定キーである下降キー３ｄが２回押下されると、図３（Ｂ）のように表示され、温度設定データも２７℃から２５℃に変化する。この状態は表示用記憶部８に記憶される。そして、次に運転モードキー３ｂが押下されると、図３（Ｃ）に示すように運転モードが自動から冷房に切り換わる。この時、表示されている温度設定は、従来例と異なり、２６℃でなく運転モードキー３ｂの押下直前に設定した２５℃となっている。
これは、図５で示すようにＳＴ１０において、運転モードキー３ｂの押下直前に温度設定キーが押下されたかどうかを判別しているため、この例のように温度設定キーが押下されていると、ＳＴ１１、つまり、選択された運転モードで過去に設定されていた温度設定データを運転用記憶部９から取り出して表示用記憶部８へ格納するステップがスキップされるからである。
【００１３】
このように、モード設定のキー操作を行なう直前に温度設定のキー操作が行なわれた場合に、この設定された温度設定データを今回のモード設定のキー操作で設定された運転モードに適用することにより、従来例で説明したように今回設定した運転モードで再度温度設定キーを操作する必要がなくなり、操作手順が簡略化されて操作性が向上する。
【００１４】
図４（Ａ）は現在の温度と運転モードを示しており、運転モードキー３ｂのみを押下した場合、図４（Ｂ）のように、ＳＴ１１、つまり、選択されていた運転モードで過去（前回）に設定されていた温度設定データを運転用記憶部９から取り出して表示用記憶部８へ格納するステップが実行され、従来例と同じように以前（前回）に設定されていた温度設定データである２６℃が表示される。
【００１５】
図３または図４のいずれの場合も、運転モードキー３ｂが押下されてから一定時間、例えば２秒の間に何らかのキーが押下されない場合は、この温度設定と運転モードで確定と判断し、表示用記憶部８の内容（温度設定データと運転モード）を対応する運転用記憶部９へ格納する（ＳＴ１２）。そして運転用記憶部９に格納されているデータに従って空気調和機全体の運転を開始する（ＳＴ１３）。この制御方法は従来と同じである。
このように、運転モードキー３ｂの押下前に温度設定キーが押下されたか否かを判別するため、従来での操作手順を残したままで新しい機能、つまり、運転モードキー３ｂの押下前に次の運転モードで使用される温度を設定する機能を追加することができるため、従来の操作手順に慣れている人でも混乱なく使用できる。
【００１６】
また、ここでは図示しないが、温度設定と運転モードの確定を一定時間のタイムアウトで判別する方法（ＳＴ１）でなく、例えば確定キーを新たに設けて、ＳＴ１のステップで確定キーの入力を判別し、このキーの押下でＳＴ１２，ＳＴ１３を実行するようにしてもよい。この場合はＳＴ３のタイマーセットは削除する。
【００１７】
【発明の効果】
以上説明したように、本発明による空気調和機の制御方法によれば、キー入力部により運転モードのいずれか一つを選択したときに、選択された運転モードに対応し、前回の運転で運転用記憶部に記憶していた温度設定データと選択された運転モードデータとを表示用記憶部に格納し、
モード設定のキー操作を行なう直前に、温度設定データを変更するキー操作が行なわれた場合には、変更された温度設定データを表示用記憶部に格納し、確定された表示用記憶部の内容を対応する運転用記憶部に格納することにより、
従来例で説明したように今回新に設定した運転モードで再度温度設定キーを操作する必要がなくなり、操作手順が簡略化されて操作性が向上する。
さらに、従来での操作手順を残したままで新しい機能、つまり、運転モードキーの押下前に次の運転モードで使用される温度を設定する機能を追加することができるため、従来の操作手順に慣れている人でも混乱なく使用できる。
【図面の簡単な説明】
【図１】空気調和機の制御回路の一実施例を示すブロック図である。
【図２】（Ａ）は室内機の一実施例を示す斜視図であり、（Ｂ）は室内機の表示部での表示内容を示す説明図である。
【図３】温度設定キーの優先入力を示す表示内容とキー操作を表す説明図であり、（Ａ）は現在の表示、（Ｂ）は温度設定キー入力時、（Ｃ）は運転モードキー入力時である。
【図４】運転モードキーの優先入力を示す表示内容とキー操作を表す説明図であり、（Ａ）は現在の表示、（Ｂ）は運転モードキー入力時である。
【図５】本願の発明による空気調和機の制御方法を示すフローチャートである。
【図６】従来の温度設定方法を示す表示内容とキー操作の説明図であり、（Ａ）は現在の表示、（Ｂ）は温度設定キー入力時、（Ｃ）は運転モードキー入力時である。
【図７】従来の方法による空気調和機の制御方法を示すフローチャートである。
【符号の説明】
１　室内機
１ａ　吸込口
１ｂ　吹出口
２　室外機
３　リモコン
３ａ　電源キー
３ｂ　運転モードキー
３ｃ　上昇キー
３ｄ　下降キー
４　通信ケーブル
５　リモコン入力部
６　表示部
６ａ　温度表示エリア
６ｂ　運転モードエリア
６ｃ　運転マーク
７　通信部
８　表示用記憶部
９　運転用記憶部
１０　制御部
【図１】
2004084972.tif 000003
【図２】
2004084972.tif 000004
【図３】
2004084972.tif 000005
【図４】
2004084972.tif 000006
【図５】
2004084972.tif 000007
【図６】
2004084972.tif 000008
【図７】
2004084972.tif 000009